(57)【要約】  本発明は、二層記録可能なディスクにおいて情報を記録するための記録方法、及び対応する記録装置に関する。或るこのような方法及び記録装置においては、OPC領域が、前記ディスクの層の上に可変的に設置される。好ましい実施例においては、前記OPC領域は、データストリームが第１層から第２層に切り換わる半径の相対的に近くに設置される。これは、固定OPC領域にジャンプするのに必要とされる付加的な時間を低減する。更に、別のこのような方法及び装置においては、記録されるべき前記情報が、前記二層ディスクの両層にわたって均等に配分される。これは、ファイナライズのために必要とされる付加的な時間が生じるのを防止する。
2007521597.tif 000002
【特許請求の範囲】
【請求項１】
二層記録可能なディスクにおいて情報を記録するための記録方法であり、実際の最適書き込み出力を決定するための最適出力制御（OPC）プロシージャを行なうステップを有し、前記最適出力制御プロシージャが、前記ディスクにおけるOPC領域において行なわれる記録方法であって、前記最適出力制御プロシージャが、前記二層ディスクの層のうちの少なくとも１つの上に可変的に設置されるOPC領域において行なわれることを特徴とする記録方法。
【請求項２】
前記二層ディスクの前記層のうちの前記少なくとも１つにおける前記OPC領域の位置が、該ディスクにおいて記録されるべき情報の量に依存する請求項１に記載の記録方法。
【請求項３】
前記OPC領域が、前記二層ディスクの前記層のうちの前記少なくとも１つのミドルゾーンに設置される請求項２に記載の記録方法。
【請求項４】
他の最適出力制御（OPC）プロシージャを行なう他のステップを有し、前記他の最適出力制御プロシージャが、該他の最適出力制御プロシージャによる使用のために確保される、前記二層ディスクの前記層のうちの少なくとも１つにおける固定位置に設置される他のOPC領域において行なわれる請求項１に記載の記録方法。
【請求項５】
前記他の最適出力制御プロシージャが、前記二層ディスクの第１層に設置される第１固定OPC領域と、前記二層ディスクの第２層に設置される第２固定OPC領域とにおいて行なわれる請求項４に記載の記録方法。
【請求項６】
請求項１、２、３、４又は５に記載の方法のいずれかを用いるために採用される二層記録可能なディスクにおいて情報を記録するための記録装置。
【請求項７】
二層記録可能なディスクにおいて情報を記録するための記録方法であって、記録されるべき前記情報が、前記二層ディスクの第１層と第２層とに実質的に均等に配分され、両方の層において最大半径より先にはデータが書き込まれないように前記第１層と前記第２層とに書き込まれることを特徴とする記録方法。 
【請求項８】
請求項７に記載の方法を用いるために採用される二層記録可能なディスクにおいて情報を記録するための記録装置。
【発明の詳細な説明】
【技術分野】
【０００１】
本発明は、二層記録可能なディスクにおいて情報を記録するための記録方法であって、実際の最適書き込み出力を決定するための最適出力制御（OPC）プロシージャを行なうステップを有し、前記最適出力制御プロシージャが、前記ディスクにおけるOPC領域において行なわれる記録方法に関する。更に、本発明は、これらの方法を用いて二層記録可能なディスクにおいて情報を記録するための対応記録装置に関する。
【背景技術】
【０００２】
読み取り専用の二層ディスクと読み取り互換性がある必要がある例えばDVD+Rディスク及びDVD+RWディスクなどの（追記型と書き換え型との両方の）記録可能な二層媒体の場合は、二層ディスクの一層より多いが、全二層より少ない占有記憶空間を必要とする量のデータをどのように処理すべきかという問題がある。
【０００３】
このような二層記録可能なディスクにおいて情報を記録するための第１の記録方法、方法Ａは、図１の左側に図示されている。この方法においては、まず、第１層L0が、完全にフルに書き込まれ、その後、第２層L1においてデータの残りが書き込まれる。二層記録可能なディスクにおいて情報を記録するための第２の記録方法、方法Ｂは、図１の右側に図示されている。本発明によるこの方法においては、書き込まれるべきデータが、両方の層L0及びL1に均等に配分される。
【０００４】
ここでは、L0は、記録装置内の記録レンズに最も近く、それ故、ディスクにおけるレーザビームの入口面にも最も近い層であると定義される。L1は他方の層である。これをより明らかにするために、所謂OTP(Opposite Track Path)ディスクのための、規格ECMA-267に従う二層DVD-ROMディスクのレイアウトが図２に図示されている。この規格に記載されているように、OTPタイプのディスクにおいては、層L0のスパイラル方向は、層L1のスパイラル方向と逆である。
【０００５】
方法Ａにおいては、第１層L0が、（DVDタイプの媒体の場合は24mm及び58mmである）半径Rinから半径Routまで書き込まれる。次に、（層におけるデータの書き込みに用いられる）レーザスポットが層L0から層L1にジャンプし、データの残りが書き込まれる。層L1は、ディスクにおいて記録されるべきデータの量に依存して或る半径まで書き込まれる。しかしながら、既存のDVDプレーヤ（とりわけ、DVDビデオプレーヤ及びDVD-ROMプレーヤ）における再生を保証するためには、層L1の残りの部分も（例えばダミーデータを）書き込まれなければならない。これは、プレーヤの中には、シークコマンドのターゲットが他方の層の上にある場合に、一方の層から他方の層にすぐにジャンプするものもあるからである。（ジャンプした場所が記録データを持たないことから）レイヤジャンプ後にデータが見つけられない場合には、その場所にディスク上に書き込まれたデータがないためにトラッキングが行われ得ないので、プレーヤが、クラッシュする且つ／又は致命的誤りを報告する可能性が非常に高い。図１の左側に示されているように、長いリードアウト(lead-out)領域を書き込むことによって、既存のDVDプレーヤとの互換性は保証され得る。しかしながら、これは、リードアウト領域を書き込むため（‘ファイナライズ’）に必要とされる長い付加的な時間を必要とし得る。
【発明の開示】
【課題を解決するための手段】
【０００６】
請求項７に記載されているような本発明による記録方法Ｂを適用することによって、この付加的な時間の発生は防止される。この場合、データは、両方の層L0及びL1に均等に配分され、これは、当然、或る最大半径Rmaxであって、層L0及び層L1の両方において前記或る最大半径Rmaxより先にはデータが書き込まれない或る最大半径Rmaxを伴う。Rmaxの値は、可変であり、ディスクにおいて記録されるべきデータの量に依存する。
【０００７】
しかしながら、記録中に別の問題が生じる。レーザスポットが層L0から層L1にジャンプする場合、前記記録が行なわれる前に、層L1において最適出力制御(OPC)プロシージャが実行される必要がある。当業者にはよく知られているように、最適出力制御プロシージャは、ディスクの層において情報を記録するための実際の最適書き込み出力を決定するためのプロシージャである。この最適書き込み出力は、ディスク、レコーダ及び実際に用いられる記録速度に依存する。それ故、この最適書き込み出力は、実際の記録速度において各レコーダ／ディスクの組合せに対して決定されるべきである。この最適出力制御プロシージャは、一般に、前記ディスク上の、この目的のために特別に確保される固定領域、所謂OPC領域において行なわれる。
【０００８】
このOPC領域が、一層媒体の場合にそうであるように、前記ディスクの内周部又は外周部に設置される場合、まず、その（内又は外）周部へのアクセスが実行されなければならない。このジャンプは、或る量の余分の時間を必要とする。とりわけ、ジャンプがディスク回転速度の変更を伴うCLVモードで記録が行なわれる場合、かなりの量の余分の時間が必要とされ得る。一般に、この余分の時間の間、データストリームは継続し、前記データストリームは、メモリバッファ内に取り込まれなければならない。それ故、このようなバッファは、ジャンプが必要とされない場合のバッファより大きくなければならない。層L0から層L1に切り換わる場合、OPCプロシージャは「オンザフライ」で行なわれることに注意されたい。
【０００９】
本発明の他の目的は、余分の時間の量が低減される方法を提供することにある。この目的は、前記最適出力制御プロシージャが、前記二層ディスクの前記層（L0、L1）のうちの少なくとも１つの上に可変的に設置されるOPC領域において行なわれることを特徴とする前文に従う方法を提供することによって達成される。
【発明を実施するための最良の形態】
【００１０】
本発明による方法及びレコーダは、当然、OPC領域の可変位置、ディスクにおいて記録されるべきデータの量に依存する位置を伴う。好ましい実施例においては、本発明による方法及びレコーダは、第２層、L1上に配置され、（方法ＢにおけるRmaxなどの）データストリームが第１層から第２層に切り換わる半径の相対的に近くに設置されるOPC領域を用いる。この半径は、ディスク上に記録されるべき情報の量に依存する。
【００１１】
本発明による方法の変形例においては、OPC領域は、（図３に示されているように）レイヤジャンプの半径における高速「オンザフライ」OPCプロシージャを実現するために層L1の所謂ミドルゾーン内に設置される（図３においては、MZ0が、層L0において設置されるミドルゾーンの部分を示しており、MZ1が、層L1において設置されるミドルゾーンの部分を示している）。このミドルゾーンは、上記の規格ECMA-267においてDVD-ROMディスク用に規定されている。
【００１２】
規格ECMA-267によれば、情報ゾーン（又はデータゾーン）は、レーザスポットが層L0から層L1に移動することを可能にするために各層においてミドルゾーンを持つ。これは図４に示されている。ミドルゾーンは、二層ディスクにおける中間リードアウト領域の一種とみなされ得る。前記規格によれば、ミドルゾーンは、層L0における最終書き込み位置の1mm先に延在する。これは、OPC領域を組み込むのに十分である。しかしながら、OPC領域はミドルゾーンの1mmの境界を越えて延在してもよいことに注意されたい。
【００１３】
本発明は、レイヤジャンプ後の最適書き込み出力がより正確に決定され得るという付加的な利点を持つということに注意されたい。レイヤジャンプ後にOPCプロシージャがディスクの内周部又は外周部において行なわれる場合には、層L1における実際の記録の開始位置とは異なる位置においてOPCプロシージャが行なわれることから、これは最適出力制御をもたらさないであろう。外周部におけるディスクの特性は、実際の記録位置における特性と異なり得る。
【００１４】
本発明による方法の変形例においては、他の最適出力制御プロシージャが、固定された予約OPC領域において行なわれる。一層ディスクと同様に、このような固定OPC領域は、ディスクの内周部及び／又は外周部に設置され得る。この他の最適出力制御プロシージャは、例えば、層L0における書き込みを開始する場合に用いられるべき最初の最適書き込み出力を決定するために行なわれ得る。更に、前記層の各々のために個別に最初の最適書き込み出力が決定されてもよい。
【００１５】
本発明は上記の実施例を参照して説明されているが、同じ目的を達成するために代わりに他の実施例が用いられ得ることは明らかであろう。それ故、本発明の範囲は、上記の実施例に限定されず、例えば、DVD+R、DVD+RW、DVD-R、DVD-RW、DVD-RAM及びブルーレイディスクなどの全ての種類の（追記型と書き換え型との両方の）記録可能な媒体にも適用され得る。
【００１６】
更に、上記の実施例においては、本発明は、まず、層L0にデータを書き込み、その後、層L1にデータを書き込むと説明されている。しかしながら、本発明は、データが、まず層L1に書き込まれ、その後層L0に書き込まれる場合にも同様にうまくいくことに注意されたい。更に、本発明の範囲は、二層ディスクのみには限定されず、データを記憶するための二層より多くの層から成る多層ディスクにも適用され得る。
【図面の簡単な説明】
【００１７】
【図１】二層記録可能なディスクにおいて情報を記録するための第１の記録方法、方法Ａを左側に示し、本発明による第２の記録方法、方法Ｂを右側に示す。
【図２】OTPディスクのための、規格ECMA-267に従う二層DVD-ROMディスクのレイアウトを示す。
【図３】層L0において設置されるミドルゾーンの部分及び層L1において設置されるミドルゾーンの部分を示す。
【図４】規格ECMA-267による各層においてミドルゾーンを持つデータゾーンを示す。
【図１】
2007521597.tif 000003
【図２】
2007521597.tif 000004
【図３】
2007521597.tif 000005
【図４】
2007521597.tif 000006
【国際調査報告】
2007521597.tif 000007
2007521597.tif 000008
2007521597.tif 000009
2007521597.tif 000010
2007521597.tif 000011